(57)【特許請求の範囲】
【請求項１】
投入口に投入されたメダルをその内方の基板と開閉板との対向面間に形成されたメダル通路に導き、適正な厚さのメダルは１枚ずつ内部に取込み、不適正な厚さのメダル類は取込規制し、その取込規制状態で前記開閉板を開操作する返却ボタンを押下することにより前記取込規制されたメダルを下方に排除して返却させる投入メダル選別装置であって、
メダル通路の入口の幅を可変する入口可変スライダを備え、
前記入口可変スライダには、該メダル通路の通路幅方向の一端に位置する定位置に、該メダル通路の通路幅方向の一端を形作るようにコ形の開放端がメダル通路に向けて配置されるコ形開口端部を備え、
上記コ形開口端部には、
適正な厚さのメダルの通過を許容する一方、適正な厚さより厚いメダルの通過を規制する間隔を有して互いに対向するコ形内面を有し、
該コ形内面を、基端側より開放端側を拡げた外広がりに傾斜する傾斜面に形成し、
前記返却ボタンの押下操作により前記開閉板を開くと共に、該返却ボタンを押下する動きに連動して前記入口可変スライダを前記定位置から前記メダル通路の通路幅方向の外側へ退避させる不適正メダル排除機構を備え、
前記不適正メダル排除機構には、
前記基板に支持され前記返却ボタンの押下に基づいて、前記基板側へ押し付けるように付勢された前記開閉板の付勢力に抗して前記開閉板を押し開くメダル排除軸を備え、
前記メダル排除軸には、
前記返却ボタンの押下方向より前記メダル通路側に傾斜して備えられる傾斜押圧片を有し、
前記入口可変スライダには、該メダル排除軸の前記傾斜押圧片に接触し、該メダル排除軸の押圧進行時に該傾斜押圧片と接触して該メダル排除軸の進退方向と略直角の通路幅方向における前記定位置から前記外側へ退避する側へスライドする方向に方向変換させるとともに、前記返却ボタンの押下解除により、該メダル排除軸が前記付勢力により元の位置に戻る時に該傾斜押圧片と接触して通路幅方向における前記外側から前記定位置の側へのスライドする方向に方向変換させる方向変換接触部を備えて構成した
投入メダル選別装置。
【請求項２】
前記入口可変スライダの前記メダル通路に突出するコ形に形成された部分のコ形内面の通路上流側に、面取り部を形成した
請求項１に記載の投入メダル選別装置。
【発明の詳細な説明】
【技術分野】
【０００１】
この発明は、例えばスロットマシンなどの遊技機に投入されるメダルを選別する投入メダル選別装置に関し、さらに詳しくは不適正なメダルを選別して返却する投入メダル選別装置に関する。
【背景技術】
【０００２】
一般に、この種の投入メダル選別装置は、メダルを１枚ずつ受け入れる遊技機の投入口に適正な大きさのメダルが投入された場合、その適正な大きさのメダルは降下規制を受けることなく内方のメダル通路へと導かれる。
【０００３】
これに対し、不適正な大きさのメダルが投入された場合は、遊技機の内方に備えられたメダル選別装置で取込規制している。例えば、適正なメダルよりも厚い不適正なメダル、いわゆる厚メダルが投入された場合は、メダルを１枚ずつ降下させるメダル通路の入口に備えられた降下規制用の補助開閉板によって内方への取込みが規制されている。
【０００４】
このときは、プレーヤが返却ボタンを押すことにより、押下方向に対向する開閉板及び補助開閉板をそれぞれ押し広げる。これにより、メダル通路の下方にメダル返却用の大きな開口部を形成し、また入口部分も同方向に開口するため厚メダルを落下させて排除することが可能になる。排除されたメダルはこれより外部の返却口へと導かれる（例えば特許文献１参照）。
【先行技術文献】
【特許文献】
【０００５】
【特許文献１】特開２００４−２０６４８５号公報。
【発明の概要】
【発明が解決しようとする課題】
【０００６】
しかし、メダル通路は、適正な厚さのメダルを取込許容し、かつ不適正な厚メダルを取込規制する大きさに設定する必要がある。この設定に際しては、メダル通路を形成する基板と開閉板との対向面間の距離を微調整して設定している。ところが、メダル通路の開口度合いを適正に調整するには高精度に調整する必要があった。
【０００７】
つまりこの際、メダル通路を固定された枠体で製作すると、不適正な厚メダルが投入された場合に、厚メダルが挟まって抜けなくなるおそれがある。また、メダル通路の大きさを調整する際に、メダル通路を構成する対向面間での調整が必要となるため各部の取り付け位置のズレや投入されたメダルの落下衝撃を受けることの影響を考慮して高精度に設定する必要があった。特に、高精度の調整を必要とするため、組立時には熟練者を要し、また調整に時間がかかる問題を有していた。
【０００８】
そこでこの発明は、メダル通路で不適正な厚さのメダルを取込規制する際、そのメダル通路を構成する部品の組み立てにおいて、開口寸法を高精度に調整する必要がない構成で、しかも正確に選別し、不適正な厚さのメダルを確実に排除することができる信頼性の高い投入メダル選別装置を提供することを目的とする。
【課題を解決するための手段】
【０００９】
この発明は、投入口に投入されたメダルをその内方の基板と開閉板との対向面間に形成されたメダル通路に導き、適正な厚さのメダルは１枚ずつ内部に取込み、不適正な厚さのメダル類は取込規制し、その取込規制状態で前記開閉板を開操作する返却ボタンを押下することにより前記取込規制されたメダルを下方に排除して返却させる投入メダル選別装置であって、メダル通路の入口の幅を可変する入口可変スライダを備え、前記入口可変スライダには、該メダル通路の通路幅方向の一端に位置する定位置に、該メダル通路の通路幅方向の一端を形作るようにコ形の開放端がメダル通路に向けて配置されるコ形開口端部を備え、上記コ形開口端部には、適正な厚さのメダルの通過を許容する一方、適正な厚さより厚いメダルの通過を規制する間隔を有して互いに対向するコ形内面を有し、該コ形内面を、基端側より開放端側を拡げた外広がりに傾斜する傾斜面に形成し、前記返却ボタンの押下操作により前記開閉板を開くと共に、該返却ボタンを押下する動きに連動して前記入口可変スライダを前記定位置から前記メダル通路の通路幅方向の外側へ退避させる不適正メダル排除機構を備え、前記不適正メダル排除機構には、前記基板に支持され前記返却ボタンの押下に基づいて、前記基板側へ押し付けるように付勢された前記開閉板の付勢力に抗して前記開閉板を押し開くメダル排除軸を備え、前記メダル排除軸には、前記返却ボタンの押下方向より前記メダル通路側に傾斜して備えられる傾斜押圧片を有し、前記入口可変スライダには、該メダル排除軸の前記傾斜押圧片に接触し、該メダル排除軸の押圧進行時に該傾斜押圧片と接触して該メダル排除軸の進退方向と略直角の通路幅方向における前記定位置から前記外側へ退避する側へスライドする方向に方向変換させるとともに、前記返却ボタンの押下解除により、該メダル排除軸が前記付勢力により元の位置に戻る時に該傾斜押圧片と接触して通路幅方向における前記外側から前記定位置の側へのスライドする方向に方向変換させる方向変換接触部を備えて構成したことを特徴とする。
【００１０】
前記メダル通路は、適正な厚さのメダルを降下許容する通路空間を備え、開閉板の開閉によってメダル通路を通過するメダルを取込処理と返却処理とに振分けるものであって、開閉板を閉じると、該開閉板と対向する基板との間に、メダルを立姿で転動させる通路空間を形成することができる。これに対し、開閉板を開けると、メダル通路を形成している基板と開閉板との対向面間が離れ、メダルを転動させていた通路空間が開放されて、メダルは自重によりメダル通路から真下に落下して排除される。
【００１１】
また、メダル通路は、速やかなメダルの転動の要請により、適切な大きさのメダルに対し、厚さ方向及び幅方向共に僅かな余裕が設けられている。
【００１２】
前記入口可変スライダとは、前記メダル通路に突出することで適正な厚さのメダルのみを通過させ、適正な厚さより厚いメダルを受け止める構成を備えている。この入口可変スライダは、メダル通路の通路幅方向の一端部を形作る構成とすることができ、例えばコ形状で構成することができる。
【００１３】
この発明によれば、返却ボタンの押下に連動してメダル通路に突出していた入口可変スライダを退避方向に移動させると同時に、開閉板を開操作して基板と開閉板との対向面間を開口させることができる。
【００１４】
これにより、入口可変スライダで受け止めていた適正な厚さより厚いメダル、いわゆる厚メダルを開放すると同時にメダル通路の外へ排除することができ、容易にかつ確実に厚メダルを排除することができる。
【００１５】
特に、厚メダルに対し選別と排除とを両立させるため、そのメダル通路での厚み方向に対する高精度の開口調整が求められるが、本願発明によれば、入口可変スライダ単体の寸法を調整することのみにより達成することができるため、従来のような煩雑な調整も省略することができる。
【００１６】
さらに、返却ボタンを押下すれば、この押下に連動して入口可変スライダの退避と開閉板の開放により、受け止められている厚メダルを直ちにかつ確実に排除できる。そして、返却ボタンの押下を解除すれば、入口可変スライダと開閉板とはそれぞれ元の位置に戻る。
【００１７】
これにより、メダル通路の対向面間において部品間の高精度の調整が必要なくなる。したがって、厚メダル用の調整に手間がかからないため能率のよい組み立てが可能になる。
【００１８】
上述したように、前記不適正メダル排除機構には、前記基板に支持され前記返却ボタンの押下に基づいて前記開閉板を開操作すると共に、上述のメダル排除軸を備え、前記入口可変スライダに上述の方向変換接触部を備えて構成したため、メダル排除軸は返却ボタンが押下されると、その１方向の押下力を２方向に分けて伝達することができる。１方向は、該メダル排除軸の直進方向であり、この直進方向によって対向する開閉板を押し開くことができる。他方向（２方向目）は、傾斜押圧片が入口可変スライダの方向変換接触部を押すことよって、直進方向に対し斜め方向に接触させて入口可変スライダをメダル通路の通路幅方向の外へ退避させることができる。
【００１９】
開閉板に対しては、メダル排除軸の押下操作量に応じた開閉量が得られ、一方、入口可変スライダに対しては、メダル排除軸と入口可変スライダとの対向面間を摺動接触させることで、メダル排除軸の押下操作量に応じた退避量が得られ、摺動作用によって滑らかな操作ができる。
【００２０】
さらに、入口可変スライダとメダル排除軸は単品として製作され、これらの部品は例えば樹脂成形による部品の製作段階で十分に精度の良い製品として得られるため、不適正メダル排除機構の組立に際しては、入口可変スライダとメダル排除軸とを基板の外面に順に取り付けるだけでよく、メダル通路に備えられる厚メダルを規制するための部材を高精度に調整をする必要がなく、定められた順序通りに組み立てるだけで所望の精度を得ることが可能である。
【００２１】
上述したように、上記コ形開口端部は、適正な厚さのメダルの通過を許容する一方、適正な厚さより厚いメダルの通過を規制する間隔を有して互いに対向するコ形内面を有し、該コ形内面を、基端側より開放端側を拡げた外広がりに傾斜する傾斜面に形成したため、コ形の傾斜面によって、このコ形に入る厚さや径の異なる様々な大きさの不適正なメダルを受け止めることが可能になる。
【００２２】
この発明の態様として、前記入口可変スライダの前記メダル通路に突出するコ形に形成された部分のコ形内面の通路上流側に、面取り部を形成することができる。
【００２３】
この場合は、速やかなメダルの転動の要請により、メダル通路に厚さ方向の余裕が設けられた場合であっても、メダル通路から入口可変スライダへの連通状態に段差をなくすことができ、滑らかにメダルを転動させることができる。
【発明の効果】
【００２４】
この発明によれば、メダル通路に突出した入口可変スライダで適正な厚さより厚いメダルの通過を規制することにより、部品点数の少ない簡単な構成で、高精度の調整が不要となる。
【００２５】
さらに、入口可変スライダで適正な厚さより厚いメダルを規制した場合には、返却ボタンを押すことにより、メダル通路の開閉板を開放すると共に、入口可変スライダを前記メダル通路の外へ退避させる連動構成を有していることにより、規制した厚メダルを開放すると同時にメダル通路外への排除を行うことができ、容易にかつ確実に厚メダルを排除することができる。
【図面の簡単な説明】
【００２６】
【図１】スロットマシンを示す外観斜視図。
【図２】スロットマシンの前面扉を開けた内部構造を示す斜視図。
【図３】メダルセレクタの開閉板側を示す斜視図。
【図４】メダルセレクタの分解斜視図。
【図５】メダルセレクタの開閉板の構成を示す説明図。
【図６】メダルセレクタの基板の外面を示す斜視図と背面図。
【図７】イジェクトボタンの押下前と押下後の状態を示す説明図。
【図８】イジェクトボタンの押下過程を示す要部縦断面図。
【図９】イジェクトボタンの押下過程を示す要部拡大斜視図。
【図１０】イジェクトボタンの押下過程を示す要部横断面図。
【図１１】入口で不適正な大きさのメダルを取込規制した状態を示す斜視図。
【図１２】フラッパの開状態と閉状態を示す要部断面図。
【図１３】フラッパが開閉される状態を示す要部断面図。
【図１４】メダルセレクタの制御回路ブロック図。
【発明を実施するための形態】
【００２７】
この発明の一実施例を以下図面に基づいて説明する。
【実施例】
【００２８】
図面は遊技機の一例として遊技ホールに設置されるスロットマシンを示し、図１はスロットマシンの外観斜視図を示している。このスロットマシン１１は接客対応される前面上部にパネル１２とリール部１３を有し、前面中央の幅方向に３個の並列するストップボタン１４を有し、その左側にスタートレバー１５と掛け数設定ボタン１６ａと精算ボタン１６ｂを、右側に返却ボタン１７とメダルＭを１枚ずつ投入するための投入口１８とを有し、これらの前面下部に受皿１９を有している。
【００２９】
そして、プレーヤがスロットマシン１１を遊技利用するときに、前記投入口１８にメダルＭが１枚ずつ投入される。投入されたメダルＭは後述するメダル選別装置（メダルセレクタ）２５で選別され、有効と選別された適正なメダルＭは内部に取込まれ、不適正と選別されたメダル類や所定枚数を越える余剰メダルはメダル払出シュート２６及び返却口２７を介して受皿１９へと返却される（図２参照）。また、プレーヤが遊技を中止するために清算ボタン１６ｂを押下操作した場合もメダルＭは受皿１９へと返却される。
【００３０】
図２はスロットマシン１１の前面扉１１ａを片開き式に開口した扉の内部構造を示す斜視図である。この開口されたスロットマシン本体１１ｂには、内部空間の上部に制御部１１ｃを設置し、中央部に外周面の絵柄の位置を回転・停止して遊技利用させる３列のリール部１３を設置し、下部の中央にメダルＭの取込み、及び払い出し用のメダル払出装置２１を設置し、その左側に電源装置２２を設置し、右側にオーバフロータンク２３を設置している。前記制御部１１ｃはメダルセレクタ２５の信号を処理し、またスロットマシン１１の各部を制御する。
【００３１】
一方、前面扉１１ａには、上部より下部にかけてリールカバー２４と、メダルＭの適否を選別するメダルセレクタ２５と、メダル払出シュート２６と、返却口２７とをこの順に有している。そして、投入口１８に投入されたメダルＭは一旦メダルセレクタ２５に導かれ、ここで適否が選別された後、受付許可されたメダルはメダルセレクタ２５の出口に接続されているメダル搬送通路２５ａを介して前記メダル払出装置２１の上部に備えられているホッパタンク２１ａに受け入れられる。これに対し、メダルセレクタ２５で受付拒否されたメダルＭは、メダル払出シュート２６及び返却口２７を介して受皿１９へと返却される。
【００３２】
次に、メダルセレクタ２５の構成について説明する。図３（Ａ）はメダルセレクタ２５の開閉板側（表面側）を示す外観斜視図、図３（Ｂ）は開閉板側の前カバー４００を開けた状態を示す外観斜視図、図４はメダルセレクタ２５の分解斜視図、図５（Ａ）はメダルセレクタ２５の開閉板側を示す正面図、図５（Ｂ）は図５（Ａ）のａ−ａ線矢視断面図、図５（Ｃ）は開閉板２００の内面側を示す背面図、図６（Ａ）はメダルセレクタ２５の基板１００の外面を示す斜視図、図６（Ｂ）は基板１００の外面を示す背面図である。
【００３３】
このメダルセレクタ２５は、垂直に起立させた基板１００の左右に、開閉板２００と押し板３００との２つの平板を平面対設させて構成し、その前面の開閉板２００側を前カバー４００で覆っている。
【００３４】
前記基板１００は横長の長方形状を有し、この横長の長方形状の内面（表面側）に、メダルＭを搬送ガイドするメダル通路５０の片面が形成されている。また、外面（裏面側）にメダルＭを選別動作させるための各部材が取付けられている。
【００３５】
前記基板１００の内面には、図３乃至図５において、左側に開閉板２００が平面対設され、右側に押し板３００が平面対設されている。開閉板２００は金属製の平板で構成され、基板１００の内面中央上部に設けられる軸受部１０１に該開閉板２００の支軸２０１が回動自由に軸支され、該支軸２０１を回動支点に基板１００と平面対向する方向に該開閉板２００の下部側が片開き式に開閉許容されて基板１００の内面左側上部に配置されている。さらに、開閉板２００は支軸２０１の部分に巻回して備えられたコイルバネ２０２により、該開閉板２００を常時基板１００側に押し付けるように付勢している。
【００３６】
また、押し板３００は基板１００の内面右側上部に設けられる軸受部１０２に該押し板３００の支軸３０１が回動自由に軸支され、該支軸３０１を回動支点に基板１００と平面対向する方向に該押し板３００の下部側が片開き式に開閉許容されて基板１００の内面右側上部に配置されている。
【００３７】
さらに、押し板３００は支軸３０１の部分に巻回して備えられたコイルバネ３０２により、該押し板３００を常時基板１００側に押し付けるように付勢している。これら基板１００に対する開閉板２００と押し板３００との対向面間で後述するメダル通路５０を構成している。
【００３８】
上述のメダル通路５０は、図３及び図４にも示すように基板１００に開閉板２００と押し板３００を配置した状態で、その左上面に横長に細長く開口する入口５１と、右側下部の側面に縦長に細長く開口する出口５２との間を結ぶ少なくとも略Ｌ形状に形成されている。そして、この略Ｌ形状のメダル通路５０の入口５１がスロットマシン１１の投入口１８と対応する下方に接続されている。このメダル通路５０は縦方向通路Ｌ１と、斜め下方に傾斜して出口５２に至る横方向通路Ｌ２と、これらの間を滑らかな湾曲状に接続する湾曲部Ｌ３とから構成される。
【００３９】
そして、縦方向通路Ｌ１では不適正な大きさ（厚さ・径長）のメダルＭを受付規制して排除する後述する不適正メダル排除機構５００が備えられる。また、横方向通路Ｌ２では不適正な種別のメダル類を排除する後述する通路切替機構７００が備えられる。
【００４０】
前記メダル通路５０は、上流側では基板１００と開閉板２００とを対向させて通路を構成し、下流側では基板１００と押し板３００とを対向させて通路を構成している。
【００４１】
詳しくは、前記横方向通路Ｌ２の一側面となる基板１００の内面側には、立姿で転動するメダルＭの上縁部をガイドする逆Ｌ形ガイド部１０５と、このメダルＭの一側面に平面対応してガイドする平面ガイド部１０６とを有している。これと対向して、横方向通路Ｌ２の上流側の他側面となる開閉板２００側には、前記逆Ｌ形ガイド部１０５と対向する平面と、前記平面ガイド部１０６とメダルＭの下縁部をガイドするＬ形ガイド部２０４とを有している。そして、逆Ｌ形ガイド部１０５と該開閉板２００の平面的な内面との対向面間でメダルＭの上縁部を凹状にガイドする上ガイド部５３を構成し、平面ガイド部１０６とＬ形ガイド部２０４との対向面間でメダルＭの下縁部を凹状にガイドする下ガイド部５４を構成している（図８参照）。
【００４２】
さらに、横方向通路Ｌ２の下流側にあっては、その横方向通路Ｌ２の一側面となる基板１００の内面側に既述した前記逆Ｌ形ガイド部１０５と前記平面ガイド部１０６を有するとともに、メダルＭの下縁部をガイドするＬ形ガイド部１１６を有している。これと対向して横方向通路Ｌ２の下流側の他側面となる押し板３００側には平面的な内面を有し、前記逆Ｌ形ガイド部１０５と前記Ｌ形ガイド部１１６に該押し板３００をそれぞれ平面対向させた対向面間でメダルＭの上縁部を凹状にガイドする上ガイド５３と、メダルＭの下縁部を凹状にガイドする下ガイド部５４を構成している。
【００４３】
メダル通路５０の入口５１では適正な大きさのメダルＭは受入許容し、大径メダルや厚メダルのように不適正な大きさのメダルＭを受入規制して排除するため、メダル通路５０の入口５１近傍には不適正メダル排除機構５００を備えている。
【００４４】
次に、不適正メダル排除機構５００について説明する。図７（Ａ）はイジェクトボタン押下前の状態を示す縦断面図、図７（Ｂ）はイジェクトボタン押下後の状態を示す縦断面図、図８（Ａ）乃至（Ｃ）はイジェクトボタンの押下過程を示す図６（Ｂ）のａ−ａ線矢視断面図、図９（Ａ）乃至（Ｃ）はイジェクトボタンの押下過程を示す要部拡大斜視図、図１０（Ａ）乃至（Ｃ）はイジェクトボタンの押下過程を示す図５（Ａ）のｂ−ｂ線矢視断面図である。
【００４５】
この不適正メダル排除機構５００は、メダル排除用のイジェクトボタン５１０と入口可変スライダ５２０とから構成される。
【００４６】
イジェクトボタン５１０は軸状を有して、図９に示すようにメダル通路５０の入口５１よりも左側（基板１００の中央側）に取り付けられ、かつ開閉板２００と対向する高さ位置で基板１００に貫通された摺動孔１０３に摺動自在に支持されている。このイジェクトボタン５１０は外端部が返却ボタン１７の内端部と対向して受圧許容状態にある。また、イジェクトボタン５１０の内端部が開閉板２００の内面と対向して押下可能な対応状態にある。このため、返却ボタン１７が押されると、この押下力を受けたイジェクトボタン５１０は直進し、その内方に対向する開閉板２００を押し開くように構成されている。また、イジェクトボタン５１０の外端部には返却ボタン１７を接続するための返却ボタン接続孔５１３（図８）が開口されている。
【００４７】
さらに、イジェクトボタン５１０には、軸方向よりメダル通路５０の入口５１側に傾斜して備えられる傾斜押圧片５１１が備えられている。この傾斜押圧片５１１は該イジェクトボタン５１０の上部に起立し、その起立した上部が略水平な平板状を有し、かつその平板状の先端部を入口側に向けて軸方向より斜め前方に４５度程度の傾斜角度で平行四辺形状に延出させている。
【００４８】
この傾斜押圧片５１１がイジェクトボタン５１０の摺動を妨げないように摺動孔１０３の上部には摺動許容溝１０３ａが開口されている。そして、延出された傾斜押圧片５１１の両側の傾斜側面５１２が後述する入口可変スライダ５２０の方向変換接触部５２１と摺動接触される。
【００４９】
上述の入口可変スライダ５２０は横長のプレート状を有し、入口５１の通路幅方向に平行して配置される。この入口可変スライダ５２０の一側に方向変換接触部５２１を有し、他側にコ形開口端部５２２とスライドガイド孔５２３を有して構成される。
【００５０】
入口可変スライダ５２０には、傾斜押圧片５１１の挿入を受け入れる傾斜挿通孔５２４が設けられている。この傾斜挿通孔５２４の左右両側には傾斜側面５１２にそれぞれ接触対応する方向変換接触部５２１が設けられている。これにより、上述したイジェクトボタン５１０を進退させると、軸部だけでなく傾斜押圧片５１１も進退し、この傾斜押圧片５１１の傾斜側面５１２が傾斜挿通孔５２４の方向変換接触部５２１に摺動し、イジェクトボタン５１０の進退する動きに入口可変スライダ５２０が追従してスライドする。
【００５１】
これらを互いに傾斜接触させることにより、イジェクトボタン５１０の進退する動きに連動して入口可変スライダ５２０をイジェクトボタン５１０の進退方向と略直角の通路幅方向の動きに方向変換させてスライドさせることができる。
【００５２】
イジェクトボタン５１０は開閉板２００の基板１００側へ押し付けられる方向への付勢力により、非押圧方向に付勢されている。したがって、傾斜押圧片５１１と方向変換接触部５２１との関係から、方向変換接触部５２１を備える入口可変スライダ５２０は、メダル通路５０側方向（図９の右方向）に付勢され、定位置となっている。
【００５３】
コ形開口端部５２２は、メダル通路５０の入口５１の一部を構成している通路幅方向のコ形状の開口端部であり、入口可変スライダ５２０が定位置にあってコ形開口端部５２２がメダル通路５０に突出しているときは、ここで不適正な厚さの厚メダルを受け止めて取込規制する役目を有している。
【００５４】
また、このコ形開口端部５２２のコ形内面を外広がりに傾斜する傾斜ガイド面５２２ａに形成している。つまり、コ形を形成する内面のうち対向する内面同士の間隔を、基端側より開放端側を拡げてハ字状を形成し、その内面を傾斜ガイド面５２２ａとしている。これにより、このコ形に入る様々な厚さの不適正な厚メダルの周縁部を受け止めることが可能になる。
【００５５】
さらに、コ形開口端部５２２に対しては、コ形内面の通路上流側に面取り部５２２ｂを形成している。この場合は、速やかなメダルＭの転動の要請により、メダル通路５０に厚さ方向の余裕が設けられた場合であっても、メダル通路５０からコ形開口端部５２２への連通状態に段差をなくすことができ、滑らかにメダルＭを転動させることができる。
【００５６】
また、図６にも示すように、通路幅方向に沿って配設された横長のプレート状の入口可変スライダ５２０にはその通路幅方向に沿って横長のスライドガイド孔５２３を開口し、ここに基板１００の外面に突出させたスライドガイド軸１０４を挿通させて、入口可変スライダ５２０を通路幅方向にスライド可能に支持している。
【００５７】
上述のイジェクトボタン５１０は、返却ボタン１７の押下力を待機している押下待機状態ではその先端が開閉板２００と対接し、入口可変スライダ５２０もスライド待機状態にある。この入口可変スライダ５２０の押下待機状態ではコ形開口端部５２２は図９（Ａ）に示すように、適正な厚さのメダルＭを受入許容し、厚メダルを受け入れ規制する位置に待機されている。
【００５８】
そして、イジェクトボタン５１０が押されることで、これに連動して入口可変スライダ５２０がスライドし、コ形開口端部５２２は、図９（Ｂ）及び図９（Ｃ）に示すように、メダル通路５０から退避し、通路幅方向における拡大方向（図９では左方向）にスライドする。
【００５９】
このため、イジェクトボタン５１０は、返却ボタン１７が押されると、直進してその前方に対向する開閉板２００を押し開くことができる。また、これと同時に傾斜押圧片５１１が入口可変スライダ５２０を直進方向に対し斜め方向に押して入口可変スライダ５２０のコ形開口端部５２２をメダル通路５０から退避させ、通路幅方向における拡大方向にスライドさせることができる。
【００６０】
また、返却ボタン１７の押下操作に応じてその内方で進退するイジェクトボタン５１０の進退及び入口可変スライダ５２０のスライドが実行され、この結果、入口５１の通路幅方向の開口量が拡縮される。またこのとき、イジェクトボタン５１０と入口可変スライダ５２０との間の傾斜摺動作用によって滑らかな開閉操作ができる。
【００６１】
このように、返却ボタン１７の押下に連動してコ形開口端部５２２を通路幅方向に移動させてメダル通路５０から退避させ、通路幅方向を広げると同時に、開閉板２００を開操作して基板１００と開閉板２００との対向面間を開口させることができる。このため、通路幅方向と通路厚み方向とを同時に広げて厚メダルを下方に落下させて排除することができる。つまり、メダル通路５０からコ形開口端部５２２を退避させることで、コ形開口端部５２２に挟まったメダルＭをイジェクト動作と連動して自動的に排除することができる。
【００６２】
一方、この返却ボタン１７の押下を解除すれば、コ形開口端部５２２と開閉板２００とはそれぞれ付勢力により元の位置に戻る。
【００６３】
一方、大径メダルに対しては、図５（Ｃ）に示すように、開閉板２００の入口対応部分に入口５１の通路幅間隔Ｗと対応した両側に大径メダル係止爪２０５を突出させて設けている。
【００６４】
これにより、適正な外径を有するメダルＭは通路幅間隔Ｗより小さいため通過するが、大径メダルの場合は通路幅間隔Ｗより大きいため、両側の大径メダル係止爪２０５に係止されて取込規制される。
【００６５】
そして、開閉板２００が開操作されることで、大径メダルは入口５１から落下して排除される。また、この開閉板２００の中央上部にはスライド回避口２０６を開口して、通路厚み方向に部分的に大きくなるコ形開口端部５２２のスライドを妨げないようにしている。
【００６６】
そして、開閉板２００を閉じると、該開閉板２００と対向する基板１００との対向面間に、メダルＭを立姿で転動させる通路空間としてのメダル通路５０が形成される。
【００６７】
これに対し、開閉板２００を開けると、下ガイド部５４を形成していた凹状部分の対向面間が離れてメダルＭを転動させていた底面が開放され、メダルＭは自重によりメダル通路５０から下方に落下して排除される。
【００６８】
また、基板１００の内面に形成されているメダル通路５０と対応する平面ガイド部１０６には複数条のリブ１０７を流下方向に平行させて形成している。これにより、メダルＭとの接触抵抗を少なくし、メダルＭを円滑に流下させるように構成している。
【００６９】
また、適正なメダルＭより小さい小径メダル類の場合はメダル通路５０の入口５１を降下してしまうため内部で排除する必要がある。そこで、開閉板２００には、図３乃至図５にも示すように、横方向通路Ｌ２の上流側と対向する部位に、小径のメダル類を排除させる後述する横排除口２０３を開口している。
【００７０】
上述の横排除口２０３は、開閉板２００の上ガイド部５３と下ガイド部５４との上下間に、横方向通路Ｌ２に沿う大きな横長の楕円形状に開口している。この横排除口２０３を介して不適正な小径メダルを通路外に排除する外径寸法による選別を実施し、適正な大きさのメダルＭのみを通過させるように構成している。この場合、横排除口２０３の上下の開口間隔が適正メダルと小径メダルを区別するメダル判別部となっている。
【００７１】
また、図４乃至図６に示すように、横方向通路Ｌ２の上流側に位置する基板１００の内面には、横排除口２０３と対向する小径メダル排除レバー６００を備えている。
【００７２】
この小径メダル排除レバー６００は、基板１００の外面側より横長の長孔１０８を介して、該小径メダル排除レバー６００の先端部がメダル通路５０の上部に向けて付勢突出されている。この小径メダル排除レバー６００は、基板１００の外面に軸支された支軸１０９を回動支点に回動し、該小径メダル排除レバー６００の基端部に取り付けられたコイルバネ１１０で該小径メダル排除レバー６００の先端部を常時メダル通路５０に向けて出没可能に付勢突出させている。
【００７３】
そして、メダル通路５０を転動してきたメダルＭが小径メダルのときは、該小径メダルの上端が上ガイド部５３にガイドされないので小径メダル排除レバー６００により、小径メダルの平面部が押されて、その平面方向に対向する開閉板２００の横排除口２０３より排除される。排除された小径メダルは開閉板２００と前カバー４００との間を通ってメダル払出シュート２６の受口まで案内され、返却される。
【００７４】
また、上述の基板１００の裏側にはメダル通路５０に沿ってメダル選別検知センサＳ１とメダル計数検知センサＳ２がこの順に配設されている。そして、これら検知センサＳ１，Ｓ２の略中間に通路切替機構７００が配設されている。
【００７５】
次に、通路切替機構７００の構成について説明する。図１１（Ａ）はメダルセレクタで不適正なメダルＭを取込規制した状態を示す斜視図、図１１（Ｂ）はメダルＭの取込規制状態を開閉板を外して示す斜視図、図１２（Ａ）はフラッパの開状態を示す図５（Ａ）のｃ−ｃ線矢視断面図、図１２（Ｂ）はフラッパの閉状態を示す図５（Ａ）のｃ−ｃ線矢視断面図、図１３（Ａ）はフラッパの開状態を示す図６（Ｂ）のｂ−ｂ線矢視断面図、図１３（Ｂ）はフラッパの閉状態を示す図６（Ｂ）のｂ−ｂ線矢視断面図である。
【００７６】
この通路切替機構７００は、ソレノイド７１０と、可動板７２０と、回動レバー７３０と、フラッパ７４０と、メダル排除通路７５０と、通路切替確認検知センサＳ３（図６）とを備えて構成される。
【００７７】
前記ソレノイド７１０は、図６に示すように基板１００の外面側に、前記可動板７２０の基端部７２１を支点に回動可能に配置されている。ソレノイド７１０のＯＦＦ時は図示しない付勢手段（弦巻バネ）によって該可動板７２０の遊端部７２２を押し板３００から離間させ、ソレノイド７１０のＯＮ時は図示しない該付勢手段の付勢力に抗じて該遊端部７２２を押し板３００側に近接させるように構成されている。
【００７８】
また、回動レバー７３０は、該レバー中間部が基板１００の外面に支持された枢支軸１１１に横方向に回動自由に軸支されている。さらに、この回動レバー７３０はレバー基端部７３１と基板１００の外面との間に介在されたレバー付勢バネ７３２によって回動レバー７３０のレバー基端部７３１をメダル通路５０と離れる方向に付勢している。
【００７９】
そして、このレバー基端部７３１に上述の遊端部７２２が対向し、遊端部７２２がレバー基端部７３１を押下したとき、回動レバー７３０のレバー基端部７３１がメダル通路５０に近づく方向に変位する。
【００８０】
さらに、レバー基端部７３１には押し板３００側に延出させたフラッパ操作アーム７３４を延設している。このフラッパ操作アーム７３４が基板１００を貫通してメダル通路５０の通路面に沿って備えられる後述するフラッパ７４０を回動操作するものである。
【００８１】
さらに、この回動レバー７３０のレバー先端部７３３は基板１００の外面に設置された光電検知形の通路切替確認検知センサＳ３によって検知され、これにより後述するフラッパ７４０の動きを検知確認するようにしている。
【００８２】
上述のフラッパ７４０は、平板状を有し、メダル通路５０の下流側を形成している押し板３００側の位置で該メダル通路５０の通路幅方向に突出する支軸７４１が基板１００の内面に形勢されている軸支部１１５に対して回動自由に軸支されている。そして、このフラッパ７４０の支軸７４１を回動支点とし、これより該メダル通路５０の上流側に向けた平板状のフラッパ７４０を回動させる構成としている。
【００８３】
また、このフラッパ７４０の一側には中間部に中間操作軸７４３を突設しており、この中間操作軸７４３が、図１３に示すように、通路厚み方向に僅かに進退可能なフラッパ操作アーム７３４によって軸支されている。このため、ソレノイド７１０がＯＮ制御されると、可動板７２０の遊端部７２２を回動させて回動レバー７３０のレバー基端部７３１を押し、フラッパ操作アーム７３４が押されることで該フラッパ７４０は中間操作軸７４３が通路厚み方向に変位し、フラッパ基端側の支軸７４１を支点に該フラッパ７４０の先端部位がメダル通路５０の押し板３００側となるように該フラッパ７４０が回動し、フラッパ７４０はメダル通路５０の壁面に略平行な開位置となる。
【００８４】
またソレノイド７１０がＯＦＦ制御されると、レバー付勢バネ７３２の付勢力によりフラッパ操作アーム７３４が引かれることでフラッパ７４０は閉位置に戻る。
【００８５】
このように、このフラッパ７４０をソレノイド７１０のＯＮに基づいて回動させ、メダル通路５０の押し板３００側の通路内面と略面一に平行させた状態を開位置とし、ソレノイド７１０がＯＦＦになるとレバー付勢バネ７３２の付勢力により、該フラッパ７４０の先端部位を基板１００側に没入させた状態である閉位置に戻す。
【００８６】
このフラッパ７４０の開動作タイミングは、これより上流側に配置されているメダル選別検知センサＳ１の検知信号に基づいて切り替えるようにしている。つまり、メダル選別検知センサＳ１がメダル未投入でメダルＭを検知していない状態ではフラッパ７４０はレバー付勢バネ７３２の付勢力により閉位置を維持しており、メダル選別検知センサＳ１がメダルを検知したときのみフラッパ７４０を開位置に操作する。ここに用いられるメダル選別検知センサＳ１は基板１００の外面側で降下してきたメダルＭの材質、大きさ（直径）、静電容量、模様（柄）、運動方向などの物理特性から適正なメダルであるか否かを判定するセンサである。例えば、メダルＭを非接触に高速検知する近接センサが適している。
【００８７】
さらに、フラッパ７４０は先端部位を小幅に形成した小幅先端部７４２を有し、基端部位をメダル通路５０の略全幅に亘る広幅にした凸形平板状に設けている。このフラッパ７４０の小幅先端部７４２と対向する基板１００のメダル通路面には、前記フラッパ７４０の閉位置で該フラッパ７４０の小幅先端部７４２を基板１００のメダル通路面より沈み込ませるためのフラッパ先端没入口１１２を開口している。また、このフラッパ７４０の内面と外面には上述した複数条のリブ１０７を有している。
【００８８】
これにより、平板状のフラッパ７４０を閉じた際、支軸７４１を回動支点にフラッパ７４０がメダル通路５０の厚み方向に傾斜し、その小幅先端部７４２が基板側のメダル通路面に沈み込んだ状態で閉じるため、通路厚み方向を完全に閉鎖することができる。また、フラッパ７４０の通路幅方向もメダル通路５０の略全幅に亘る広幅であるため通路幅方向も確実に閉鎖することができる。さらに、フラッパ７４０の先端部位を小幅先端部７４２にすることで、これと対向する基板１００側のフラッパ先端没入口１１２を極力小さくして塵埃の侵入や液体の浸入等を抑制している。
【００８９】
さらに、フラッパ７４０を閉位置にしたとき、メダル通路５０の通路空間を下流側から上流側に向けて斜め下向きに傾斜して、その通路空間を斜めに遮断した状態となる。
【００９０】
このため、フラッパ７４０が傾斜した際の傾斜外面が上流側に対する通路閉鎖面となる。このフラッパ７４０はメダル通路５０を開閉する機能に加えて、閉位置のときにメダルＭを排除させるメダル排除通路７５０を構成する機能を有している。
【００９１】
前記メダル排除通路７５０は、図１２に示すように、フラッパ７４０の外面７４０ａと押し板３００の内面３００ａとの対向面間で構成される。押し板３００の内面３００ａは、フラッパ７４０と対応する位置に、メダル通路５０と同通路方向に対応し、排除入口７５１としてメダルＭを排除できる大きさの凹状の通路空間を形成し、これより図３（Ｂ）に示すように、右端部に下向きに開口する排除出口７５２とを連通させて構成している。
【００９２】
図１２（Ａ）に示すように、フラッパ７４０がメダル通路５０の壁面に対して平行な状態である開位置では該メダル排除通路７５０の排除入口７５１が閉じられた状態にある。そして、図１２（Ｂ）に示すように、閉位置にあるフラッパ７４０がメダル通路５０を閉じると、メダル排除通路７５０の排除入口７５１は開口されて上流側から降下してきた排除すべきメダルＭを該メダル排除通路７５０に通過させて排除出口７５２より排除させることができる。
【００９３】
このように、閉位置にあるフラッパ７４０によりメダル通路５０にメダル排除通路７５０を分岐させて作ることができる。このため、不適正と判定されたメダル類はメダル排除通路７５０に導かれ、不正治具等の挿入物はメダル計数検知センサＳ２にアクセスできない。
【００９４】
このため、フラッパ７４０よりも下流側に位置するメダル計数検知センサＳ２に対しては、外部から不正治具等の挿入物を近づけることができず、該メダル計数検知センサＳ２を誤動作させてメダル計数値を増やすような不正を防止する高セキュリティを確保したスロットマシン１１として運用することができる。
【００９５】
また、閉位置にあるフラッパ７４０の姿勢は、基板１００と押し板３００との対向面間で構成するメダル通路５０において、該フラッパ７４０の支軸７４１が通路厚みを隔てた押し板３００側にあり、これよりフラッパ７４０は小幅先端部７４２が基板側にあるため通路厚みを隔てた通路空間を傾斜姿勢で斜めに仕切った状態にある。このため、上流から降下してきたメダルＭはフラッパ７４０にぶつからず、フラッパ外面の傾斜面上を滑らかに転動して排除させることができる。
【００９６】
さらに、該フラッパ７４０が開動作するごとに回動する回動レバー７３０の動きを通路切替確認検知センサＳ３によって検知するためフラッパ７４０が開動作される動きを検知確認することができる。このため、フラッパ７４０が適正に動作されているか否かを常時監視することができる。
【００９７】
図１４はメダルセレクタ２５の制御回路ブロック図を示し、制御部１４０にはメダル選別検知センサＳ１と、メダル計数検知センサＳ２と、通路切替確認検知センサＳ３と、ソレノイド７１０とが接続される。
【００９８】
前記制御部１４０は、メダル選別検知センサＳ１がメダル通路５０を降下してきたメダルＭを検知した時、メダル選別検知センサＳ１の検知信号の有無によってメダルＭの有効性を判定し、これに基づいてソレノイド７１０をＯＮ・ＯＦＦ制御してフラッパ７４０を開動作させる。
【００９９】
また、メダルがメダル計数検知センサＳ２に導かれたことを検知すると、制御部１４０はメダル計数検知センサＳ２で適正なメダルＭの取込枚数を計数し、また通路切替確認検知センサＳ３でフラッパ７４０が適正に動作していることを確認する。さらに、メダルＭがフラッパ７４０の位置を通過すると、制御部１４０は直ちにソレノイド７１０をＯＦＦしてフラッパ７４０を閉じ、次に降下してくるメダルＭの選別に備える。
【０１００】
このように構成されたメダルセレクタ２５の組立てに際しては、図３及び図４に示すように、各部品が組み付けられた基板１００の上部中央に小さく開口されている連結孔１１３に、開閉板２００の軸支部に設けられているコイルバネ２０２の中央部に突出形成されている引っ掛け部２０２ａを差込んで基板１００の裏面側に引っ掛けることにより、この引っ掛け部２０２ａの付勢作用により基板１００と開閉板２００とが引寄せられた状態に接合される。
【０１０１】
同様に基板１００の上部右側に小さく開口されている連結孔１１４に、押し板３００の軸支部に設けられているコイルバネ３０２の中央部に突出形成されている引っ掛け部３０２ａを差込んで基板１００の裏面側に引っ掛けることにより、この引っ掛け部３０２ａの付勢作用により基板１００と押し板３００とが引寄せられた状態に接合される。
【０１０２】
また、基板１００における入口５１の組立に際しては、基板１００に入口可変スライダ５２０を取り付ける。このとき、スライドガイド軸１０４で入口可変スライダ５２０のスライドガイド孔５２３を支持して該入口可変スライダ５２０を基板１００にスライド許容させて取り付ける。さらに、入口可変スライダ５２０の傾斜挿通孔５２４にイジェクトボタン５１０の傾斜押圧片５１１を挿入させてイジェクトボタン５１０を基板１００に取り付ける。
【０１０３】
この際、入口可変スライダ５２０とイジェクトボタン５１０は製作段階で単品として製作され、その部品の段階で十分な精度が得られるため、入口５１の組立に際しては、入口可変スライダ５２０とイジェクトボタン５１０とを基板１００の外面に順に取り付けるだけでよく、入口５１の内部空間の厚さ寸法を確保するための高精度の調整をする必要がなく、組み立てるだけで所望の精度が得られ、簡単に組立てることが可能である。特に、コ形開口端部５２２は、単一の部品で構成しているため、投入されたメダルＭの衝撃や、各部のクリアランス（ガタ）による“隙間”がなく、高精度の調整をする必要がなくなる。
【０１０４】
次に、メダルセレクタ２５の選別処理動作について説明する。  
今、スロットマシン１１がメダルＭを受付可能な状態のときに、プレーヤが投入口１８にメダルＭを投入すると、投入されたメダルＭは自重により内方のメダルセレクタ２５に導かれ、ここでメダルＭは起立状態で転動しながらメダル通路５０を降下して取り込まれる。
【０１０５】
このとき、適正な大きさのメダルＭは、降下途中でメダル選別検知センサＳ１がそのメダルＭの有効性を選別し、有効と選別すると内方に１枚ずつ取込まれる。その際、メダルＭを取込んだ枚数が出口近傍のメダル計数検知センサＳ２により計数され、計数された値は制御部１４０へと伝送されて投入枚数が管理される。
【０１０６】
これに対し、著しく径が大きなメダルや肉厚のメダルにあっては、投入口１８の部分で投入規制されて投入できない。また、小径の異種メダルや小径の流通硬貨などの小径のメダル類が誤投入されたときは、通過時に小径メダル類は横排除口２０３と対応する部分で小径排除レバー６００の排除作用によってメダルＭは横倒れして横排除口２０３へと排出される。
【０１０７】
次に、メダル通路５０の入口５１での選別処理動作について説明する。  
今、プレーヤによって投入口１８に外径が僅かに大きめのメダルが誤投入された場合、その外径が大きめのメダルはメダル通路５０の入口５１にさしかかると、その通過幅方向の通路空間より僅かに大きいため開閉板２００に形成されている大径メダル係止爪２０５に引っ掛り、一時的なメダル詰りとなり、後続のメダルＭの投入が不能となる。このメダル詰りが生じたときは、このメダル詰りを解消するためにプレーヤ自身が返却ボタン１７を押下操作する。
【０１０８】
この場合、プレーヤが返却ボタン１７を押し込むと、この返却ボタン１７の操作力Ｐを受けて、開閉板２００が回動し始め、これにより基板１００と開閉板２００との間が開口し、降下規制されていたメダルＭは落下し、その下方に排除されて返却される。
【０１０９】
次に、厚メダルが投入された場合は、投入された厚メダルがメダル通路５０の入口５１にさしかかると、入口５１の通過スペースより厚いため厚メダルの通路幅方向での一端部がコ形開口端部５２２に引っ掛り、一時的なメダル詰りとなり、後続のメダルＭの投入も不能となる。このメダル詰りが生じたときは、このメダル詰りを解消するためにプレーヤ自身が返却ボタン１７を押下操作する。
【０１１０】
この返却ボタン１７が押されると、該返却ボタン１７の直進する動きに連動してイジェクトボタン５１０も直進し、この動きにイジェクトボタン５１０の傾斜押圧片５１１と入口可変スライダ５２０の傾斜挿通孔５２４が傾斜摺動して返却ボタン１７の押下力がイジェクトボタン５１０を介して入口可変スライダ５２０に方向変換接触して伝達される。このため、入口可変スライダ５２０はイジェクトボタン５１０の押下方向と直交する通路幅方向にスライドしてコ形開口端部５２２をメダル通路５０の外へ退避させ、通路幅方向に移動させる。これにより、入口５１の通路幅方向が広げられて、挟まれたメダルが解放されると同時に、イジェクトボタン５１０の先端部が開閉板２００を押して開操作し、基板１００と開閉板２００との対向面間を開口させることができる。このため、通路幅方向と通路厚み方向とを同時に広げることができる。これにより、厚メダルを下方に落下させて確実に排除することができる。また、メダル通路５０からコ形開口端部５２２を退避させることで、コ形開口端部５２２に挟まったメダルＭをイジェクト動作と連動して自動的に排除することができる。
【０１１１】
一方、適正な大きさのメダルＭはメダル通路５０を降下し、メダル選別検知センサＳ１に達すると、該メダル選別検知センサＳ１によってメダルＭの有効性が検知される。このとき、有効と選別された場合は適正なメダルＭのために、フラッパ７４０を開操作し、メダルＭを内方に取り込む。また、フラッパ７４０を通過した直後にメダルＭはメダル計数検知センサＳ２で計数される。そして、計数された値は制御部１４０へと伝送されて投入枚数が管理される。
【０１１２】
これに対し、メダル選別検知センサＳ１が不適正なメダルＭと判定すれば、制御部１４０はフラッパ７４０の閉位置を維持し、閉位置のフラッパ７４０によって、メダル通路５０に分岐されたメダル排除通路７５０が開口されて形成されることになる。これにより、不適正なメダルＭはメダル排除通路７５０を通って排除される。
【０１１３】
このメダル排除通路７５０を備えることによって、メダル通路５０を降下してきたメダルＭを有効と選別しなかったとき、押し板３００を開けるという排除動作を行うことなく排除することができる。このため、押し板３００を開けて横倒しや落下させるようなメダル通路５０からメダルＭを排除させるための開閉動作が不要になる。
【０１１４】
上述のように、返却ボタン１７を押すと同時にメダル通路５０の入口５１が通路厚み方向と通路幅方向とに同時に２方向に効率よく広がる連動構成を有しているため、不適正な大きさのメダルＭの排除を確実に実行でき、しかも部品点数の少ない簡単な構成でありながら高精度の調整が不要な取り付けが可能となる。この結果、メダルセレクタ２５の品質の安定化と低コスト化を図ることが可能になる。
【０１１５】
また、フラッパ７４０はその上流のメダル選別検知センサＳ１がメダルＭを適正と検知した時のみ開操作し、メダルＭを適正と検知しなければフラッパ７４０がメダル通路５０を閉じたままである。また、フラッパ７４０の閉位置はメダル計数検知センサＳ２の上流であるため、フラッパ７４０により通路空間が遮断さているときは、その下流のメダル計数検知センサＳ２の位置へは該メダル通路５０の通路空間を通して不正治具を挿入できない。このため、外部から不正にメダル計数検知センサＳ２を操作してメダルＭの枚数を増加させるような不正行為を完全に防止することができる。
【０１１６】
また、メダルＭの投入がない場合はレバー付勢バネ７３２によってフラッパ７４０が閉位置を維持しているため、このフラッパ７４０によってメダル計数検知センサＳ２を保護することができる。このため、メダル計数検知センサＳ２のセキュリティ及び信頼性を確実に高めることができる。
【０１１７】
また、単一のフラッパ７４０をメダル通路面に沿って小さく配設させ、メダル通路５０とメダル排除通路７５０との共通のガイド部材として利用できるため、部品点数の削減及び配置スペースの削減が図れ、また押し板３００を開閉させないため、メダル通路５０の下流側での開閉スペースの省略が図れ、装置全体の小型化が図れる。
【０１１８】
この発明の構成と、上述の一実施例の構成との対応において、
この発明の投入メダル選別装置は、実施例のメダルセレクタ２５に対応し、
以下同様に、メダル排除軸は、イジェクトボタン５１０に対応するも、この発明は、請求項に示される技術思想に基づいて応用することができ、上述の一実施の形態の構成のみに限定されるものではない。例えば、上述の一実施例では、遊技機で利用されるメダルＭを例にとって示したが、これに限らず、硬貨であっても適用することができる。
【産業上の利用可能性】
【０１１９】
メダルを大きさ別に選別処理する処理装置の全般に適用することができる。
【符号の説明】
【０１２０】
１１…スロットマシン
１７…返却ボタン
１８…投入口
２５…メダルセレクタ
５０…メダル通路
５１…入口
１００…基板
２００…開閉板
５００…不適正メダル排除機構
５１０…イジェクトボタン
５２０…入口可変スライダ
５２２…コ形開口端部
Ｍ…メダル
【図１】
0005659888.tif 000002
【図２】
0005659888.tif 000003
【図３】
0005659888.tif 000004
【図４】
0005659888.tif 000005
【図５】
0005659888.tif 000006
【図６】
0005659888.tif 000007
【図７】
0005659888.tif 000008
【図８】
0005659888.tif 000009
【図９】
0005659888.tif 000010
【図１０】
0005659888.tif 000011
【図１１】
0005659888.tif 000012
【図１２】
0005659888.tif 000013
【図１３】
0005659888.tif 000014
【図１４】
0005659888.tif 000015